(57)【要約】【課題】パラペットに簡単に取り付けられ、横荷重に強い、強固なスタンションを構成し、より安全性の高い、パラペット用スタンション及びこれを用いた仮設用柵を提供する。【解決手段】上端部に親綱の一端を係止するリング６を有る長尺な支柱１と、当該支柱１の下部から水平に突出した水平突出腕２と、上端部を当該水平突出腕２に固定又は摺動自在に取り付け、前記支柱１と略平行に垂下した垂直腕３とから成り、前記支柱１の下部の一側に、当該支柱１の左右側から両側が突出し、前記垂直腕３に対向した第１当接座５を設け、前記垂直腕３の下部の両脇に設けた支持部材１４から、突出長を調整自在な２個の調整ボルト１６を水平に並べて設け、当該各調整ボルト１６の先端には、前記第１当接座５に対向して、押圧当接板１６を設け、前記水平突出腕２の下面には、当該水平突出腕２の左右側から両側が突出した第２当接座１０を設けた。【選択図】        図１
0003186864.tif 000002
【実用新案登録請求の範囲】
【請求項１】
上端部に親綱又はロープの一端を係止するリングを備えた長尺な支柱と、当該支柱の下部の一側から略水平に突出した水平突出腕と、上端部を当該水平突出腕に固定又は摺動自在に取り付け、前記支柱と略平行に垂下した垂直腕とから成り、前記支柱の下部の一側に、当該支柱の左右側から両側が突出し、前記垂直腕に対向した第１当接座を設け、前記垂直腕の下部の両脇に設けた支持部材から、突出長を調整自在な２個の調整ボルトを水平に並べて設け、当該各調整ボルトの先端には、前記第１当接座に対向して、押圧当接板を設け、前記水平突出腕の付け根付近の下面には、当該水平突出腕の左右側から両側が突出した第２当接座を設け、前記第１当接座、第２当接座をパラペットの外側及び頂部に当て、前記横に並んだ２個の調整ボルトの各押圧当接板をパラペットの内側に当てるように各調整ボルトの突出長を調整して、前記第１当接座、押圧当接板及び第２当接座とでパラペットを挟持する構成としたことを特徴とする、パラペット用スタンション。
【請求項２】
前記２個の各調整ボルトは外周面にねじが形成され、前記各支持部材に穿った孔に挿入され、当該孔の一側に設けたナット部材に螺着され、当該各調整ボルトを回すことにより、前記各支持部材に対して前後に突出長を調整できる構成としたことを特徴とする、請求項１に記載のパラペット用スタンション。
【請求項３】
前記垂直腕の上端に水平横向きの筒体を設け、当該筒体を前記水平突出腕の外周に摺動自在に被せ、前記水平突出腕の一側面に、長手方向に間隔を空けて複数の突出ピンを設け、前記筒体の前記ピンに対応する箇所に穿った孔に前記突出ピンを挿入することにより、前記筒体が水平突出腕に係止され、前記各突出ピンはバネにより常時水平突出腕の外面から突出し、前記バネの力に抗して突出ピンを押圧すると、前記水平突出腕の外面から引っ込む構成としたことを特徴とする、請求項１又は２に記載のパラペット用スタンション。
【請求項４】
前記支柱に１個又は複数個のクランプ金具を設けたことを特徴とする、請求項１〜３のいずれかに記載のパラペット用スタンション。
【請求項５】
前記請求項１〜３のパラペット用スタンションを複数設け、これらをパラペットに間隔を空けて夫々取り付け、各スタンションの支柱の上端部のリングに親綱又はロープの一端を係止して、隣接するスタンションの上部に親綱又はロープを渡し、複数のスタンションの内の両端に位置するスタンションに、一端を建物に係止した支線の他端を係止したことを特徴とする、仮設用柵。
【考案の詳細な説明】
【技術分野】
【０００１】
この考案は、建物の屋上等の工事作業の際作業者の安全を図るため、当該屋上のパラペット等に複数取り付け固定し、これらにより仮設用の手摺やロープを支持するスタンション（仮設用の支柱）に関するものである。
【背景技術】
【０００２】
従来、屋上の防水等の改修工事の場合、作業者の安全を図るため、建物の下から屋上まで足場を組んで、作業者は当該足場に命綱を掛けて屋上で作業していた。この場合、建物の外周に地上から屋上まで足場を組むのは、専門業者に依頼するなど手間がかかり、コストもかさみ極めて不経済であった。
【０００３】
そこで、最近は屋上のパラペット等に複数の支柱（スタンション）を間隔をあけて取り付け、これらの支柱に手摺やロープをわたし、作業者は当該手摺やロープに命綱を掛けて作業している。このスタンションについては特許文献１〜３等のものが開発されている。
【先行技術文献】
【特許文献】
【０００４】
【特許文献１】実用新案登録第３０８３４９３号公報
【特許文献２】実用新案登録第３１７８７８１号公報
【特許文献３】実用新案登録第３１８０６９６号公報
【考案の開示】
【考案が解決しようとする課題】
【０００５】
しかしながら、これらのスタンションはいずれも、支柱の下部に設けた外側挟持部又は押さえ片と、前記支柱から水平に突出した水平部材からさらに下方に突出した垂下部材に設けた内側挟持片又は押さえ片とで、パラペットを挟持し、スタンションをパラペットに取り付け、固定している。従って、複数のスタンション間に渡した手摺やロープに作業者等の荷重が掛かった際、これらの手摺やロープに引っ張られて各スタンションに横荷重（パラペットの長手方向の荷重）がかかり、各スタンションが横に倒れる恐れがあり、安全面での弱点がある。
【０００６】
これは、各スタンションの支柱や水平部材及び垂下部材が夫々棒材から成り、これらの支柱や垂下部材に相対向して設けた外側挟持部又は押さえ片と内側挟持片又は押さえ片とでパラペットを挟持する構造のため、前記横方向の荷重に対しては弱い。特許文献２のものは、内側の押さえ片は２つ設けているが、上下方向に設けられているため、この場合も横荷重には弱い。
【０００７】
この考案は、上記の点に着目し、支柱、水平部材及び垂直部材は全て棒材であっても、パラペットに簡単に取り付けられ、取り付けられた状態で横荷重に強い、強固なスタンションを構成し、より安全性の高い、パラペット用スタンション及びこれを用いた仮設用柵を提供することを目的としたものである。
【課題を解決するための手段】
【０００８】
そこで、請求項１の考案は、上端部に親綱又はロープの一端を係止するリングを備えた長尺な支柱と、当該支柱の下部の一側から略水平に突出した水平突出腕と、上端部を当該水平突出腕に固定又は摺動自在に取り付け、前記支柱と略平行に垂下した垂直腕とから成り、前記支柱の下部の一側に、当該支柱の左右側から両側が突出し、前記垂直腕に対向した第１当接座を設け、前記垂直腕の下部の両脇に設けた支持部材から、突出長を調整自在な２個の調整ボルトを水平に並べて設け、当該各調整ボルトの先端には、前記第１当接座に対向して、押圧当接板を設け、前記水平突出腕の付け根付近の下面には、当該水平突出腕の左右側から両側が突出した第２当接座を設け、前記第１当接座、第２当接座をパラペットの外側及び頂部に当て、前記横に並んだ２個の調整ボルトの各押圧当接板をパラペットの内側に当てるように各調整ボルトの突出長を調整して、前記第１当接座、押圧当接板及び第２当接座とでパラペットを挟持する構成とした、パラペット用スタンションとした。
【０００９】
また、請求項２の考案は、前記２個の各調整ボルトは前記各支持部材に穿った孔に挿入され、当該孔の一側に設けたナット部材に螺着され、当該各調整ボルトを回すことにより、前記各支持部材に対して前後に突出長を調整できる構成とした、請求項１に記載のパラペット用スタンションとした。
【００１０】
また、請求項３の考案は、前記垂直腕の上端に水平横向きの筒体を設け、当該筒体を前記水平突出腕の外周に摺動自在に被せ、前記水平突出腕の一側面に、長手方向に間隔を空けて複数の突出ピンを設け、前記筒体の前記ピンに対応する箇所に穿った孔に前記突出ピンを挿入することにより、前記筒体が水平突出腕に係止され、前記各突出ピンはバネにより常時水平突出腕の外面から突出し、前記バネの力に抗して突出ピンを押圧すると、前記水平突出腕の外面から引っ込む構成とした、請求項１又は２に記載のパラペット用スタンションとした。
【００１１】
また、請求項４の考案は、前記支柱に１個又は複数個のクランプ金具を設けた、請求項１〜３のいずれかに記載のパラペット用スタンションとした。
【００１２】
また、請求項５の考案は、前記請求項１〜３のパラペット用スタンションを複数設け、これらをパラペットに間隔を空けて夫々取り付け、各スタンションの支柱の上端部のリングに親綱又はロープの一端端を係止して、隣接するスタンションの上部に親綱又はロープを渡し、複数のスタンションの内の両端に位置するスタンションに、一端を建物に係止した支線の他端を係止した、仮設用柵とした。
【考案の効果】
【００１３】
請求項１の考案によれば、支柱、水平突出腕及び垂直腕は棒材から構成されているが、第１当接座及び第２当接座は夫々支柱及び水平突出腕の長手方向に対して直角方向の両側に突出して設けられ、さらに、２個の押圧当接板は垂直腕の長手方向に対して直角方向の両側に設けられているため、パラペットと当該スタンションを取り付けた場合、パラペットへの挟持面がパラペットの長手方向に広がり、パラペットの長手方向の荷重に対しても耐えられる強度を有している。
【００１４】
また、前記垂直腕は、水平突出腕の長手方向に固定又は摺動自在となっているため、パラペットの厚さに応じて、その位置を決めて固定できる。これにより、２個の調整ボルトの突出長の調整が容易に行える。また、支柱の上端部にリングを固定したので、当該リングに親綱又はロープの一端を係止することが出来る。従って、従来のスタンションでは、単管パイプの支持がメインとなっているが、親綱又はロープを用いれば、重量も軽く、柔軟性を有するため、運搬や取付け作業の際の作業性が向上する。
【００１５】
また、請求項２の考案によれば、２個の調整ボルトは支持部材に螺着、貫通して支持されているため、２個の調整ボルトの支持部材に対する前後の突出長の調整が容易であると共に、ねじの推進力により各調整ボルトの先端の押圧当接板をパラペットの側面に強固に押圧することが出来る。
【００１６】
また、請求項３の考案によれば、垂直腕の上端に筒体を設け、当該筒体を前記水平突出腕の外周に被冠して設け、水平突出腕の側面に設けた、常時バネの力で外面に突出する突出ピンを前記筒体の孔に入れて筒体及び垂直腕を水平突出腕に固定しているため、不要な突出ピンを手で押さえて前記筒体を動かし、目的の箇所の突出ピンを筒体の孔内に突出させればよく、垂直腕の筒体の水平突出腕に対する位置調整が極めて容易であり、一端固定すると、前記調整ボルトの押圧当接板でパラペットを挟持しても垂直腕が動くことが無い。
【００１７】
また、請求項４の考案によれば、リングへの親綱の係止に代えて、又は、親綱又はロープと共に単管パイプをクランプ金具に取り付ければ、複数のスタンションにより手摺が容易に構成できる。
【００１８】
また、請求項５の考案によれば、複数のスタンションを用意し、これらをパラペットに間隔を空けて取り付け、各スタンションのリングに親綱又はロープの一端を係止、固定すれば、容易に仮設用柵が構成され、作業者は腰等に取り付けた命綱の他端を前記親綱又はロープに引っ掛け、安全に作業をすることが出来る。また、その際、両端に位置する各スタンションに、建物に一端を係止した支線の他端を取り付ければ、さらに、各スタンションの横方向（パラペットの長手方向の）の荷重にも耐えられ、各スタンションが外れる恐れがない。
【図面の簡単な説明】
【００１９】
【図１】この考案の実施の形態例１のスタンションの斜視図である。
【図２】この考案の実施の形態例１のスタンションの側面図である。
【図３】この考案の実施の形態例１のスタンションの正面図である。
【図４】この考案の実施の形態例１のスタンションの平面図である。
【図５】この考案の実施の形態例１の２個のスタンションをパラペットに取り付け、親綱及び単管パイプを渡した状態の斜視図である。
【図６】この考案の実施の形態例１の多数のスタンションを屋上のパラペットに取付け、親綱を渡した仮設用柵の概略斜視図である。
【考案を実施するための形態】
【００２０】
（実施の形態例１）
この考案の実施の形態例１のスタンションを図１〜図４に基づいて説明する。実施の形態例１のスタンションＡは、長尺な角パイプから成る支柱１と、当該支柱１の下部の一側から略水平に突出した角パイプから成る水平突出腕２と、上端部を当該水平突出腕２に固定又は摺動自在に取り付け、前記支柱１と略平行に垂下した角パイプから成る垂直腕３とから構成されている。
【００２１】
また、前記支柱１の下部の左右側に、チャンネル材から成る支持部材４、４が突設され、これらの支持部材４の側面と支柱１の側面とが同一面に形成され、当該箇所にゴム製直方体形状の第１当接座５が貼り付けられている。この第１当接座５は支柱１の長手方向に対して直角方向に突出しており、また、前記垂直腕３に対向している。また、当該支柱１と前記水平突出腕２の接続箇所の両側には補強プレート２３が設けられている。
【００２２】
また、当該支柱１の上端には、逆Ｕ字型のリング６が設けられ、また、当該リング６のすぐ下の支柱１の一側及び前記水平突出腕２の上方に夫々、手摺用の単管パイプを把持するクランプ金具７、８が設けられている。なお、これらのクランプ金具７、８は支柱１にボルト止めされ、着脱自在となっている。
【００２３】
また、前記水平突出腕２の付け根付近の左右側には、チャンネル材から成る支持部材９、９が設けられ、これらの支持部材９、９の下面と水平突出腕２の下面とが同一面に形成され、これらの下面にゴム製直方体形状の第２当接座１０が貼り付けられている。この第２当接座１０は水平突出腕２の長手方向に対して直角方向に突出している。
【００２４】
また、前記水平突出腕２に垂直腕３は固定又は摺動自在に取り付けられているが、その詳細は以下の通りである。垂直腕３の上端には角筒から成る筒体１１が設けられ、当該筒体１１が前記水平突出腕２の外周に摺動自在に被冠されている。また、前記水平突出腕２の前後の側面には、長手方向に間隔を空けて数個の突出ピン１２が突出自在に設けられている。これらの各突出ピン１２は、バネ（図示省略）の力により常に水平突出腕２の外面に突出するように付勢されており、各突出ピン１２を押すと水平突出腕２内に入るよう構成されている。
【００２５】
また、前記筒体１１の左右の両側面に１個の孔１３が設けられ、これらの各孔１３は、前記突出ピン１２と相応する位置に設けられ、筒体１１の孔１３が任意の突出ピン１２の位置にくると、当該孔１３にその突出ピン１２が入り、筒体１１は固定される。そして、孔１３内の突出ピン１２を手で押して筒体１１を動かすと突出ピン１２と孔１３との位置がずれ、当該突出ピン１２はへこんだまま筒体１１は摺動可能となる。
【００２６】
また、前記垂直腕３の下部の左右側には、チャンネル材から成る支持部材１４、１４が設けられている。これらの各支持部材１４の側面には孔（図示省略）が設けられ、この孔の一側にナット１５が設けられている。これらのナット１５及び孔をネジ棒状の調整ボルト１６が螺着、貫通されている。また、各調整ボルト１６の先端には円盤状の押圧当接板１７が回転自在に取り付けられている。
【００２７】
そしてこれらの押圧当接板１７は左右方向に横並びに設けられ、前記第１当接座５に対向している。また、各押圧当接板１７の外面にはゴム製のパッドが取り付けられている。また、各調整ボルト１６の後端には、工具係止用又は手動把持用の角材部１８が設けられている。従って、当該角材部１８に工具を掛けて又は作業者が手でつまみ、各角材部１８を回すと、調整ボルト１６も回転し、各調整ボルト１６の先端の押圧当接板１７が各支持部材１４に対して前後に突出する。また、当該垂直腕３の一側面には上端を筒体１１の下面に当てた補強リブ１９が設けられている。
【００２８】
以上の構成から成るスタンションＡの建物の屋上のパラペットＢへの取付けについて図５に基づいて説明する。
【００２９】
まず、パラペットＢの幅をみて、各スタンションＡの水平突出腕２における筒体１１の位置を決める。それには、筒体１１の孔１３に突出ピン１２が入っている場合は、作業者が指で突出ピン１２をバネの力に抗して押し、孔１３から突出ピン１２をへこませ、筒体１１を摺動させる。
【００３０】
そして、スタンションＡの第１当接座５と２個の押圧当接板１７との間の間隔がパラペットＢの幅よりやや大きい幅となるように筒体１１の位置決めをして筒体１１の孔１３に突出ピン１２を嵌める。これにより筒体１１は水平突出腕２に固定される。これを使用する各スタンションＡについて行う。
【００３１】
その後、複数の各スタンションＡを、パラペットＢの長手方向に間隔をあけて、パラペットＢに取り付ける。具体的には、支柱１の下部の第１当接座５をパラペットＢの外側面に当て、各スタンションＡの水平突出腕２の下面から突出する第２当接座１０をパレペットＢの頂面に当て、垂直腕３の下部の２個の角材部１８を回して、各調整ボルト１６を回転させ、支持部材１４から各調整ボルト１６をパラペットＢの内側面方向に突出させる。
【００３２】
そして各調整ボルト１６の先端の各押圧当接板１７がパラペットＢの内側面に当接し、さらに前記各角材部１８を回すことにより各押圧当接板１７をパラペットＢの内側面に押し当て、パラペットＢを第１当接座５と第２当接座１０及び２個の押圧当接板１７で挟持する。これにより、各スタンションＡはパラペットＢに強固に固定される。
【００３３】
その後、図５に示すように、各スタンションＡのリング６に親綱２０の一端を親綱２０に設けたフック等で引っ掛け、隣接する各スタンションＡの上部に親綱２０を渡す。これにより図６に示すように、親綱２０が屋上Ｃの周縁に沿って張り巡らされる。また、各スタンションＡのうち、屋上Ｃの角部のスタンションＡには、一端を建物に固定した支線２１の他端を固定する。
【００３４】
これにより、各スタンションＡは、パラペットＢの長手方向の荷重、すなわち、横荷重に対しても強固となり、親綱２０に荷重が掛かっても、これに引っ張られて抜けることはない。勿論各スタンションＡに対する他の方向の荷重に対しても十分耐えられるものである。
【００３５】
そして、屋上Ｃの改修作業においては、作業者は親綱を手摺代わりとして使用することもでき、また、各作業者の腰に付けた命綱の先端を前記親綱２０に取り付け、当該命綱の先端を親綱２０に沿って移動させながら作業をすることもできる。
【００３６】
さらに、必要によっては、各スタンションＡの各クランプ金具７、８の一方又は双方に、図５に示すように、単管パイプ２２を取り付け、隣接するスタンションＡの間に各単管パイプ２２を渡すこともできる。
【００３７】
また、上記実施の形態例１のスタンションＡの強度試験を行った。
【００３８】
スタンションＡの試験体の寸法等は以下の通りである。
支柱１は５０ｍｍ×５０ｍｍ×ｔ２．３、長さ１０００ｍｍ
支持部材４は１００ｍｍ×１５０ｍｍ×４５ｍｍ、板厚６ｍｍ
補強プレート２３は１００ｍｍ×６５ｍｍ、板厚６ｍｍ
水平突出腕２は５０ｍｍ×５０ｍｍ×ｔ３．２、長さ５８５ｍｍ
垂直腕は５０ｍｍ×５０ｍｍ×ｔ２．３、長さ３５０ｍｍ
支持部材１４は１００ｍｍ×１５０ｍｍ×４５ｍｍ、板厚６ｍｍ
筒体１１は６０ｍｍ×６０ｍｍ×ｔ４．５、長さ１００ｍｍ
補強リブ１９は５０ｍｍ×１００ｍｍ、板厚６ｍｍ
調整ボルト１６はＭ１６ｍｍ、長さ１５０ｍｍ、外径７５ｍｍ
【００３９】
これをパラペットに模した固定台に前記試験体を取り付け、各調整ボルト１６を締め付けた後、アイボルト及びシャックルを介して支柱１の頂部（リング６の下の支柱１）に２つの方向の水平荷重を加えた。一つは試験体を固定台に締め付ける方向に対して平行方向に、もう一つは直交方向（上記横方向）に加力を行った。
【００４０】
加力は単調加力とし、試験体が破壊するまで又は前記支柱頂部の水平変位が２５０ｍｍに到達するまで行った。測定は支柱頂部の水平変位について行い、試験体の状況を目視により観察した。なお、試験装置は１００ｋＮ自動コントロール式加力試験機（容量５０ｋＮ）、測定装置は巻き込み型変位計（容量：１０００ｍｍ、感度：５×１０−６／ｍｍ、非線形性：０．３％ＲＯ）
【００４１】
試験結果は、上記平行方向の場合は、荷重（Ｐｍａｘ）１．５ｋＮの加力に対し、変位ＤＧＩは４５．４ｍｍとなり、破壊状況及び試験体の状況としては、調整ボルト１６の押圧当接板１７のゴム製パッドが外れた。また、上記直交方向（横方向）の場合は、荷重（Ｐｍａｘ）１．７ｋＮの加力に対し、変位ＤＧＩは２４９．２ｍｍとなり、破壊状況及び試験体の状況としては、調整ボルト１６の押圧当接板１７のゴム製パッドが外れた。この直交方向の加力は最高載荷荷重時の荷重、変位及び試験体の状況を示すものである。
【００４２】
この様に、当該実施の形態例１のスタンションＡは、パラペットＢにスタンションＡを取り付けた状態で、パラペットＢの長手方向に対して直交方向の荷重に対しても強度が高いだけでなく、パラペットＢの長手方向（前記横方向）の荷重に対しても強度を有し、一定の荷重に対してもスタンションＡがパラペットＢから抜けない効果を有する。
【００４３】
また、上記実施の形態例１では、第１当接座５及び２個の押圧当接板１７をパラペットＢの頂部から下方に設けているため、パラペットＢの頂部に笠木が設けられている場合にも、スタンションＡを容易に取り付けることが出来る。
【００４４】
なお、上記実施の形態例１では、支柱１、水平突出腕２、垂直腕３を夫々角パイプで構成したが、棒材でれば、断面円形等適宜の断面形状でも良い。また、第１当接座５自体、第２当接座１０自体及び押圧当接板１７のパッドを全てゴム製としたが、ゴムに限らず、弾力性を有する部材であれば、適用できる。
【符号の説明】
【００４５】
Ａ      スタンション
１      支柱                        ２      水平突出腕
３      垂直腕                      ４      支持部材    
５      第１当接座                  ６      リング
７      クランプ金具                ８      クランプ金具
９      支持部材                    １０    第２当接座
１１    筒体                        １２    突出ピン
１３    孔                          １４    支持部材
１５    ナット                      １６    調整ボルト
１７    押圧当接板                  １８    角材部  
１９    補強版                      ２０    親綱
２１    支線                        ２２    単管パイプ
【図１】
0003186864.tif 000003
【図２】
0003186864.tif 000004
【図３】
0003186864.tif 000005
【図４】
0003186864.tif 000006
【図５】
0003186864.tif 000007
【図６】
0003186864.tif 000008
【手続補正書】
【提出日】平成25年9月3日(2013.9.3)
【手続補正１】
【補正対象書類名】実用新案登録請求の範囲
【補正対象項目名】請求項５
【補正方法】変更
【補正の内容】
【請求項５】
前記請求項１〜３のいずれか一項に記載のパラペット用スタンションを複数設け、これらをパラペットに間隔を空けて夫々取り付け、各スタンションの支柱の上端部のリングに親綱又はロープの一端を係止して、隣接するスタンションの上部に親綱又はロープを渡し、複数のスタンションの内の両端に位置するスタンションに、一端を建物に係止した支線の他端を係止したことを特徴とする、仮設用柵。
【手続補正２】
【補正対象書類名】明細書
【補正対象項目名】００１２
【補正方法】変更
【補正の内容】
【００１２】
また、請求項５の考案は、前記請求項１〜３のいずれか一項に記載のパラペット用スタンションを複数設け、これらをパラペットに間隔を空けて夫々取り付け、各スタンションの支柱の上端部のリングに親綱又はロープの一端を係止して、隣接するスタンションの上部に親綱又はロープを渡し、複数のスタンションの内の両端に位置するスタンションに、一端を建物に係止した支線の他端を係止した、仮設用柵とした。